(57)【特許請求の範囲】
【請求項１】
ハウジングの一端面側から引き出される複数の電線と、一端に他端が挿通されて他端側を固定する頭部が設けられ前記複数の電線を束ねて電線束を形成する結束バンドと、前記ハウジングの一端面に設けられ前記結束バンドを挿通することによって前記電線束が固定される電線固定部とを備えた電線引出構造であって、
前記電線固定部には、前記電線束の中心軸に対して対称に配置され前記結束バンドの前記頭部が収容される一対の穴部が設けられ、
前記電線固定部は、前記電線束の外形形状に合わせて形成され前記電線束の外周に密着される電線止めＲ部を有することを特徴とする電線引出構造。
【請求項２】
請求項１記載の電線引出構造であって、
前記結束バンドは、前記頭部が前記穴部に収容された状態で、前記頭部から露出する他端側が前記ハウジングの一端面における長さ方向の投影面内に配置されていることを特徴とする電線引出構造。
【発明の詳細な説明】
【技術分野】
【０００１】
本発明は、電線引出構造に関する。詳細には、ハウジングの一端面側から引き出された複数の電線を結束バンドで束ねた電線束の電線引出構造に関する。
【背景技術】
【０００２】
従来、電線引出構造としては、ハウジングの一端面側から引き出される複数の電線と、一端に他端が挿通されて他端側を固定する頭部としての留め具が設けられ複数の電線を束ねて電線束を形成する結束バンドと、ハウジングの一端面に設けられ結束バンドを挿通することによって電線束が固定される電線固定部としての締結部とを備えたものが知られている（例えば、特許文献１参照）。
【０００３】
この電線引出構造では、締結部に配置された電線束に対して電線束の外周を覆うように結束バンドを巻き付け、結束バンドの他端を締結部に挿通し、締結部側に配置された留め具で他端側を固定することにより、電線束を締結部に固定させている。
【先行技術文献】
【特許文献】
【０００４】
【特許文献１】特開２０１２−１１９２４１号公報
【発明の概要】
【発明が解決しようとする課題】
【０００５】
ところで、上記特許文献１のような電線引出構造では、電線固定部側に配置される結束バンドの頭部の配置位置が１箇所となっている。
【０００６】
このため、電線束と電線固定部とに対する結束バンドの組付方向は、一方向となっており、組付性が低下していた。
【０００７】
そこで、この発明は、組付性を向上することができる電線引出構造の提供を目的としている。
【課題を解決するための手段】
【０００８】
請求項１記載の発明は、ハウジングの一端面側から引き出される複数の電線と、一端に他端が挿通されて他端側を固定する頭部が設けられ前記複数の電線を束ねて電線束を形成する結束バンドと、前記ハウジングの一端面に設けられ前記結束バンドを挿通することによって前記電線束が固定される電線固定部とを備えた電線引出構造であって、前記電線固定部には、前記電線束の中心軸に対して対称に配置され前記結束バンドの前記頭部が収容される一対の穴部が設けられ、前記電線固定部は、前記電線束の外形形状に合わせて形成され前記電線束の外周に密着される電線止めＲ部を有することを特徴とする。
【０００９】
この電線引出構造では、電線固定部に、電線束の中心軸に対して対称に配置され結束バンドの頭部が収容される一対の穴部が設けられているので、結束バンドの頭部が配置される穴部と反対側の一対の穴部のいずれの方向からも、結束バンドの他端側を電線固定部に対して挿通することができ、頭部に対して結束バンドの他端側を固定することができる。
【００１０】
従って、このような電線引出構造では、一対の穴部のうちいずれの穴部側からであっても、結束バンドを電線束と電線固定部とに組付けることができ、組付性を向上することができる。
【００１１】
請求項２記載の発明は、請求項１記載の電線引出構造であって、前記結束バンドは、前記頭部が前記穴部に収容された状態で、前記頭部から露出する他端側が前記ハウジングの一端面における長さ方向の投影面内に配置されていることを特徴とする。
【００１２】
この電線引出構造では、結束バンドが、頭部が穴部に収容された状態で、頭部から露出する他端側がハウジングの一端面の範囲内に配置されているので、頭部から露出する結束バンドの他端側のハウジングからの露出を防止でき、周辺部材との干渉を防止することができる。
【発明の効果】
【００１３】
本発明によれば、組付性を向上することができる電線引出構造を提供することができるという効果を奏する。
【図面の簡単な説明】
【００１４】
【図１】本発明の実施の形態に係る電線引出構造の斜視図である。
【図２】本発明の実施の形態に係る電線引出構造の電線固定部の斜視図である。
【図３】本発明の実施の形態に係る電線引出構造の最小外径の電線束を固定したときの側面図である。
【図４】本発明の実施の形態に係る電線引出構造の最大外径の電線束を固定したときの側面図である。
【図５】本発明の実施の形態に係る電線引出構造の最小外径の電線束に対して異なる組付方向で結束バンドを組付けたときの側面図である。
【発明を実施するための形態】
【００１５】
図１〜図５を用いて本発明の実施の形態に係る電線引出構造について説明する。
【００１６】
本実施の形態に係る電線引出構造１は、ハウジング３の一端面側から引き出される複数の電線５と、一端に他端７が挿通されて他端７側を固定する頭部９が設けられ複数の電線５を束ねて電線束１１を形成する結束バンド１３と、ハウジング３の一端面に設けられ結束バンド１３を挿通することによって電線束１１が固定される電線固定部１５とを備えている。
【００１７】
そして、電線固定部１５には、電線束１１の中心軸Ｌに対して対称に配置され結束バンド１３の頭部９が収容される一対の穴部１７，１７が設けられている。
【００１８】
また、結束バンド１３は、頭部９が穴部１７に収容された状態で、頭部９から露出する他端７側がハウジング３の一端面の範囲内に配置されている。
【００１９】
図１〜図５に示すように、ハウジング３は、合成樹脂などの絶縁性材料からなり、筐体状に形成され、内部に複数の端子（不図示）を収容可能な複数の端子収容室１９が設けられている。
【００２０】
複数の端子収容室１９には、ハウジング３の一端面側の開口から複数の端子が挿入されて収容され、端子収容室１９の内部に設けられた係止ランス（不図示）やハウジング３に挿入されるスペーサ（不図示）などによって端子の端子収容室１９からの抜け止めがなされる。
【００２１】
このような端子収容室１９に端子が収容されたハウジング３は、他端面側に電源や機器などに電気的に接続された相手端子（不図示）を収容する相手ハウジング（不図示）が嵌合され、端子と相手端子とが電気的に接続される。
【００２２】
このようなハウジング３に収容される端子は、電源や機器などに電気的に接続された電線５の端末部に電気的に接続され、端子が端子収容室１９に収容された状態で、電線５がハウジング３の一端面側から外部に引き出される。
【００２３】
このハウジング３の外部に引き出された複数の電線５は、結束バンド１３によって束ねられ電線束１１を形成する。
【００２４】
結束バンド１３は、表面が蛇腹状に形成され、一端に他端７が挿通され他端７側に位置する蛇腹形状の凹凸部が係合されて他端７側を固定する頭部９が設けられている。
【００２５】
この結束バンド１３は、複数の電線５の外周を巻き付けるように配置され、他端７を頭部９に挿通して固定することにより、複数の電線５を束ねた電線束１１を形成する。
【００２６】
このように結束バンド１３によって束ねられる複数の電線５は、ハウジング３の一端面に設けられた電線固定部１５側に向けて屈曲され、複数の電線５と電線固定部１５とに対して結束バンド１３を組付けることにより、電線束１１がハウジング３から屈曲されて引き出された状態となる。
【００２７】
電線固定部１５は、ハウジング３の一端面から外方に向けてハウジング３と連続する一部材で突設され、一対の電線止めリブ２１，２１と、電線止めＲ部２３と、一対の穴部１７，１７とを備えている。
【００２８】
一対の電線止めリブ２１，２１は、ハウジング３の上下方向にそれぞれ設けられ、ハウジング３側から外方に向けて傾斜状に延設されている。
【００２９】
この一対の電線止めリブ２１，２１は、ハウジング３の一端面から突設された電線固定部１５の剛性を向上させ、ハウジング３から屈曲されて引き出された電線束１１の支持を安定化させる。
【００３０】
電線止めＲ部２３は、電線固定部１５の先端側にハウジング３の上下方向に貫通するように中空状に設けられ、先端側の面がＲ形状に形成されている。
【００３１】
この電線止めＲ部２３のＲ形状は、複数の電線５の最小本数を結束バンド１３によって束ねたときの電線束１１の最小外径の外形形状に合わせて形成されている。
【００３２】
なお、電線束１１の最小外径は、電線５の本数によって決定されることに限らず、適用される電線５の範囲内で複数形成される電線束１１の外径のうち最も小さい外径を有する電線束１１の外径を最小外径として決定してもよい。
【００３３】
ここで、ハウジング３から引き出される電線５の本数は、接続される回路に応じて異なり、複数の電線５を結束バンド１３で束ねることによって形成される電線束１１の外径も接続される回路に応じて異なる。
【００３４】
このように電線束１１の外径が異なる場合、電線止めＲ部２３のＲ形状を電線束１１の最大外径の外形形状に合わせてしまうと、最小外径の電線束１１を電線止めＲ部２３に配置して結束バンド１３を組付けたとき、電線止めＲ部２３の上下方向の両端側と電線束１１とが密着せず、電線束１１と電線止めＲ部２３と結束バンド１３との間に大きな隙間ができてしまう可能性があり、電線束１１の支持が不安定となる恐れがある。
【００３５】
これに対して、電線止めＲ部２３のＲ形状は、電線束１１の最小外径の外形形状に合わせて形成されているので、図３に示すように、最小外径の電線束１１と電線止めＲ部２３と結束バンド１３との間の隙間を抑制でき、電線束１１の支持を安定化することができる。
【００３６】
一方、最大外径の電線束１１が電線止めＲ部２３に配置された場合には、図４に示すように、結束バンド１３を組付けたとき、少なくとも電線止めＲ部２３の上下方向の両端側がそれぞれ電線束１１の外周に密着し、電線束１１の外周に結束バンド１３が密着するので、電線束１１と電線止めＲ部２３と結束バンド１３との間の隙間を抑制でき、電線束１１の支持を安定化することができる。
【００３７】
このような中空状の電線止めＲ部２３の両端側の開口には、一対の穴部１７，１７が設けられている。
【００３８】
一対の穴部１７，１７は、電線固定部１５の先端側に、中空状の電線止めＲ部２３の両端側の開口と連通するようにそれぞれ設けられている。
【００３９】
この一対の穴部１７，１７は、結束バンド１３の頭部９の周囲を覆うように収容可能に形成され、電線束１１の中心軸Ｌに対して対称に配置されている。
【００４０】
このような一対の穴部１７，１７には、例えば、図３，図４に示すように、上側の穴部１７から結束バンド１３の他端７を挿入し、電線止めＲ部２３の内部を挿通して下側の穴部１７から結束バンド１３の他端７を露出し、結束バンド１３の頭部７を上側の穴部１７に配置した後、下側の穴部１７から露出した結束バンド１３の他端７側を複数の電線５（電線束１１）の外周を巻き付けるように頭部９に固定することにより、結束バンド１３によって電線束１１が電線固定部１５に固定される。
【００４１】
一方、不図示ではあるが、下側の穴部１７から結束バンド１３の他端７を挿入し、電線止めＲ部２３の内部を挿通して上側の穴部１７から結束バンド１３の他端７を露出し、結束バンド１３の頭部７を下側の穴部１７に配置した後、上側の穴部１７から露出した結束バンド１３の他端７側を複数の電線５（電線束１１）の外周を巻き付けるように頭部９に固定することにより、結束バンド１３によって電線束１１を電線固定部１５に固定することもできる。
【００４２】
ここで、結束バンド１３の電線束１１と電線固定部１５とに対する組付としては、例えば、図５に示すように、上側の穴部１７に結束バンド１３の頭部７を配置させ、結束バンド１３の他端７側を複数の電線５（電線束１１）の外周を巻き付けた後、下側の穴部１７から結束バンド１３の他端７を挿入し、電線止めＲ部２３の内部を挿通して上側の穴部１７に配置された頭部９に他端７側を固定することにより、結束バンド１３によって電線束１１を固定してもよい。
【００４３】
一方、不図示ではあるが、下側の穴部１７に結束バンド１３の頭部７を配置させ、結束バンド１３の他端７側を複数の電線５（電線束１１）の外周を巻き付けた後、上側の穴部１７から結束バンド１３の他端７を挿入し、電線止めＲ部２３の内部を挿通して下側の穴部１７に配置された頭部９に他端７側を固定することにより、結束バンド１３によって電線束１１を固定してもよい。
【００４４】
なお、結束バンド１３は、電線束１１を電線固定部１５に固定した後、頭部９から大きく露出する他端７側が切断される。
【００４５】
このように一対の穴部１７，１７を電線束１１の中心軸Ｌに対して対称に配置させることにより、電線固定部１５に対する結束バンド１３の頭部９の配置箇所が２箇所となり、一対の穴部１７，１７のいずれの方向からも結束バンド１３を組付けることができる。
【００４６】
ここで、図３〜図５に示すように、結束バンド１３は、頭部９が穴部１７に収容された状態で、頭部９から露出する他端７側、すなわち切断された切れ端側がハウジング３の一端面の範囲内に配置されている。詳細には、他端７である切断された切れ端は、ハウジング３の一端面における長さ方向の投影面内に配置されている。
【００４７】
このように結束バンド１３の頭部９から露出する他端７側をハウジング３の一端面の範囲内に配置することにより、切れ端のような鋭利な部分がハウジング３から露出することがなく、例えば、ハウジング３の一端面側に配置されるグロメットなどの周辺部材と干渉することがなく、周辺部材の損傷を防止することができる。
【００４８】
このような電線引出構造１では、電線固定部１５に、電線束１１の中心軸Ｌに対して対称に配置され結束バンド１３の頭部９が収容される一対の穴部１７，１７が設けられているので、結束バンド１３の頭部９が配置される穴部１７と反対側の一対の穴部１７，１７のいずれの方向からも、結束バンド１３の他端７側を電線固定部１５に対して挿通することができ、頭部９に対して結束バンド１３の他端７側を固定することができる。
【００４９】
従って、このような電線引出構造１は、一対の穴部１７，１７のうちいずれの穴部１７側からであっても、結束バンド１３を電線束１１と電線固定部１５とに組付けることができ、組付性を向上することができる。
【００５０】
また、結束バンド１３は、頭部９が穴部１７に収容された状態で、頭部９から露出する他端７側がハウジング３の一端面の範囲内に配置されているので、頭部９から露出する結束バンド１３の他端７側のハウジング３からの露出を防止でき、周辺部材との干渉を防止することができる。
【００５１】
なお、本発明の実施の形態に係る電線引出構造では、１つの結束バンドによって複数の電線を束ねて電線束を形成させ、この電線束を電線固定部に固定しているが、これに限らず、２つの結束バンドのうち１つの結束バンドで電線束を形成し、もう１つの結束バンドで電線束を電線固定部に固定してもよい。
【００５２】
また、電線固定部の電線止めＲ部は、電線束の最小外径に合わせてＲ形状に形成されているが、電線固定部をＲ形状に形成しなくともよく、電線束を電線固定部に安定して固定できる形状であれば、電線固定部の形状はどのようなものであってもよい。
【符号の説明】
【００５３】
１…電線引出構造
３…ハウジング
５…電線
７…他端
９…頭部
１１…電線束
１３…結束バンド
１５…電線固定部
Ｌ…中心軸
１７…穴部
【図１】
0006613098.tif 000002
【図２】
0006613098.tif 000003
【図３】
0006613098.tif 000004
【図４】
0006613098.tif 000005
【図５】
0006613098.tif 000006